(57)【要約】【課題】電気コネクタにおいて、電気コネクタを傾斜させて取り付けても、コンタクトのタインに加わる負荷を軽減できるようにする。【解決手段】プラグコネクタ（電気コネクタ）１０は、コンタクト８、９を保持した絶縁ハウジング４と、整列部材３４と、シールド部材２８と、保持金具（導電部材）とを有する。絶縁ハウジング４は傾斜させて基板５に取り付けられる。そして、整列部材３４は、この絶縁ハウジング４の傾斜の度合より小さい度合で、基板５に取り付けられる。これにより、コンタクト８、９のタイン８ａ、９ａが急激に曲げられることが防止され、タイン８ａ、９ａに加わる応力を軽減できる。【選択図】　　　　　図２
2004063390.tif 000002
【特許請求の範囲】
【請求項１】
相手方コネクタとの嵌合方向と直交する面から所定角度傾斜した基板取付面を有する絶縁ハウジングと、該絶縁ハウジングに取り付けられる複数のコンタクトとを備え、前記各コンタクトが、前記嵌合方向と平行に延びて基板のスルーホールに挿入されるタインを有する電気コネクタにおいて、
前記絶縁ハウジングが、前記タインを受容して該タインを整列させる複数の孔を有する整列部材をさらに有し、
前記絶縁ハウジングが、前記基板に実装される際に、前記整列部材が、前記基板に対して前記所定角度より小さい角度で傾斜するように前記基板に当接して前記タインの曲げ負荷を軽減するスタンドオフを有することを特徴とする電気コネクタ。
【請求項２】
傾斜している側と反対側の前記コンタクトの前記タインの長さが、傾斜している側の前記コンタクトの前記タインの長さより漸次長くなっていることを特徴とする請求項１記載の電気コネクタ。
【発明の詳細な説明】
【０００１】
【発明の属する技術分野】
本発明は、電気コネクタに関し、特に、基板に取り付けられる、コンタクト整列部材付の電気コネクタに関するものである。
【０００２】
【従来の技術】
従来、パーソナルコンピュータ等の内部において、電子部品が実装されたプリント回路基板（以下、単に基板という）同士を電気的に接続する手段として、夫々の基板に実装された電気コネクタが一般に使用されている。また、ノートブック型パーソナルコンピュータにおいては、筐体後部と付属部品との接合部に電気コネクタが用いられており、同様に基板同士を接続している。電気・電子機器に使用されるこれらの電気コネクタは、各基板に固定されており、基板同士を接近させて電気コネクタを嵌合するようになっている。しかし、基板同士が傾斜した位置関係に設定されている場合、少なくとも一方の電気コネクタは、傾斜した状態で基板に取り付けられていなければならない。
【０００３】
このような用途の、従来技術の電気コネクタの一例として、実開昭６２−１８９８４号公報に開示された多極コネクタが知られている。このコネクタは、取付基板に対して嵌合方向が傾斜している。このコネクタは、ハウジングの底面が基板に直接載置されて、ハウジングから基板に挿入されたコンタクトが基板の裏面で折り曲げられて基板に接続されている。
【０００４】
また、特許第２８２４７４８号公報に開示された電気コネクタが知られている。この電気コネクタは、コンタクトのタインを基板に挿入する前に整列する整列部材を有している。
【０００５】
【発明が解決しようとする課題】
前者の従来技術にあっては、コネクタのハウジングと基板の間に整列部材がなく、また、整列部材を設ける余地もない。
【０００６】
また、後者の電気コネクタにおいては、コネクタを傾斜させて基板に取り付けると、同じように傾斜した整列部材によりタインに対して大きなモーメント負荷を与え、脚部に大きなストレスを与える。このストレスによりタインのはんだ付け部にクラックが生じたりする虞がある。
【０００７】
本発明は、以上の点に鑑みてなされたものであり、電気コネクタを傾斜させて取り付けても、コンタクトのタインに加わる負荷を軽減できる電気コネクタを提供することを目的とする。
【０００８】
【課題を解決するための手段】
本発明の電気コネクタは、相手方コネクタとの嵌合方向と直交する面から所定角度傾斜した基板取付面を有する絶縁ハウジングと、絶縁ハウジングに取り付けられる複数のコンタクトとを備え、各コンタクトが、嵌合方向と平行に延びて基板のスルーホールに挿入されるタインを有する電気コネクタにおいて、絶縁ハウジングが、タインを受容してタインを整列させる複数の孔を有する整列部材をさらに有し、絶縁ハウジングが、基板に実装される際に、整列部材が、基板に対して所定角度より小さい角度で傾斜するように基板に当接してタインの曲げ負荷を軽減するスタンドオフを有することを特徴とするものである。
【０００９】
また、傾斜している側と反対側のコンタクトのタインの長さは、傾斜している側のコンタクトのタインの長さより漸次長くなっているように構成することができる。
【００１０】
【発明の効果】
本発明の電型コネクタは、所定角度傾斜した基板取付面を有する絶縁ハウジングを有する。絶縁ハウジングは、タインを受容してタインを整列させる複数の孔を有する整列部材を有する。そして、絶縁ハウジングが基板に実装される際に、整列部材が、基板に対して所定角度より小さい角度で傾斜するように基板に当接してタインの曲げ負荷を軽減するスタンドオフを有するので、次の効果を奏する。
【００１１】
即ち、電気コネクタを傾斜させて取り付けても、整列部材によってコンタクトのタインが急激に折り曲げられることなくタインに加わる負荷を軽減できるので、タインのはんだ付け部のクラックを防止できる。
【００１２】
また、傾斜している側と反対側のコンタクトのタインの長さが、傾斜している側のコンタクトのタインの長さより漸次長くなっているように構成されている場合は、タインを基板のスルーホールに順次円滑に挿入することができるので、電気コネクタの取付作業性がよい。
【００１３】
【発明の実施の形態】
以下、本発明の電気コネクタ即ちプラグコネクタの好ましい実施の形態について、添付図面を参照して詳細に説明する。図１から図４は、本発明のプラグコネクタ１０を示し、図１はその平面図、図２は正面図、図３は右側面図、図４は底面図を夫々示す。
【００１４】
以下、図１から図４を参照して説明する。プラグコネクタ１０は、絶縁性の細長いハウジング４と、このハウジング４の嵌合部６にハウジング４の長手方向３に沿って４列に配置されたコンタクト８、９を有する。コンタクト８は信号用の狭幅のコンタクトであり、コンタクト９は電力供給用の幅広のコンタクトである。ハウジング４は、長手方向３に延びる直方体形状の本体１４と、その両端に位置する直方体形状の取付部１２、１２を有し、それらは合成樹脂により一体に成型されている。なお、嵌合部６のハウジング４の上端即ち前端によって構成される面を嵌合面６ａという。
【００１５】
ここで注目すべきことは、取付部１２の底面（基板取付面）４８が、図３に示す如く、嵌合方向と直交する面に対し、所定角度だけ傾斜しているということである。従って、プラグコネクタ１０を基板５（図９）に取り付けたときに、この傾斜している底面４８が基板５に当接することによって、プラグコネクタ１０が基板５上に斜めに取り付けられる。プラグコネクタ１０の取付をこのように傾斜させている理由は、互いに接続される他方の基板（図示せず）と基板５との取付関係が、そのような角度を持つように設定されていることによる。プラグコネクタ１０の取付の状態の詳細については後述する。
【００１６】
各取付部１２には、保持金具（導電部材）２２が取り付けられている。保持金具２２は、基板５側に延びるリテンションレグ即ち保持脚（取付部）１８を有し、この保持脚１８により、プラグコネクタ１０が基板５にはんだ付け前に仮固定される。保持金具２２の詳細については後述する。
【００１７】
嵌合部６の両端には、後述するリセプタクルコネクタ１００のガイド穴１１８に挿入されるガイドポスト２６が嵌合方向に突設されており、コネクタ同士の嵌合時にガイド穴１１８と協働して案内となる。ハウジング４には、シールド部材即ちシールドシェル（以下、単にシェルという）２８、２８’が本体１４に取り付けられている。なお、シェル２８、２８’は、略同様構成なので主としてシェル２８について説明する。シェル２８は、本体１４にラッチアーム２９により係止されている。シェル２８の取付脚３０は本体１４の下縁７１から下方に延出している。シェル２８の詳細については後述する。
【００１８】
ハウジング４の両端の取付部１２、１２間には、空間３２（図２）が形成されており、この部分にタインプレート即ち可動コンタクト整列部材（以下、単に整列部材という）３４が配置されている。整列部材３４は、長手方向３の両端に上向きのラッチアーム３６を有している。なお、上向きとは、便宜上嵌合部６側をいう。ハウジング４の取付部１２の本体１４に向く面には、上下方向に離隔した２つの突起３８、３９が形成されており、ラッチアーム３６は、この下側の突起３８に係止してハウジング４に仮固定される。仮固定時には、整列部材３４の底面３７は取付部１２の底面４８より僅かに下即ち基板５側に位置している。
【００１９】
整列部材３４は、プラグコネクタ１０を基板５に取り付ける際、ハウジング４に対して上昇可能である。即ち、プラグコネクタ１０が基板５に取り付けられると、整列部材３４は、基板５に当接して上昇し、前述のラッチアーム３６が上側の突起３９に係合（本係止）する。
【００２０】
また整列部材３４には、長手方向３に沿い、且つ整列部材３４と同じ板面内に延出する矩形の凸部４０、４１が中央部分に形成されている。この凸部４０、４１には、孔（取付脚受容孔）４０ａが形成されており、前述の取付脚３０がこの孔４０ａに挿通されて位置決めがなされる。コンタクト８、９のタイン８ａ、９ａも同様に整列部材３４の孔４２、４３に夫々挿入されて位置決めされる。なお、ここで注目すべきことは、傾斜している側と反対側のコンタクトのタインの長さが、傾斜している側のコンタクトのタインの長さより漸次長くなっているように構成されていることである。これによって、コネクタを取り付けるときに、タインを基板のスルーホールに順次円滑に挿入することができる。
【００２１】
次に、図５を参照してハウジング４についてさらに詳細に説明する。図５は、ハウジング４の斜視図である。ハウジング４は、嵌合部６に長手方向３に沿う２列の嵌合溝４４を有し、この嵌合溝４４の両側に複数のコンタクト受容溝４４ａ、４４ｂが形成されている。コンタクト受容溝４４ａ、４４ｂは、夫々狭幅、幅広に形成されており、コンタクト８、９は、夫々コンタクト受容溝４４ａ、４４ｂに配置される。
【００２２】
各取付部１２には、上向肩１３が形成されている。この取付部１２には、上向肩１３に開放するとともに本体１４側にも開放する平面視が略コ字状の金具受容溝４６が形成されている。そして、ガイドポスト２６には、その上下方向に沿う両側面６０から先端面６１に亘って溝６０ａが形成されている。
【００２３】
また、ハウジング４の本体１４の側面１５の下部には、上向面６４を有する段部６５が、本体１４の全長に亘って長手方向３に沿って形成されている。さらに側面１５には、長手方向３に沿って所定の間隔で離隔した複数の凹み６２が形成されている。各凹み６２は、段部６５を上下方向に貫通して形成されている。さらに各凹み６２の間には、凹み６２よりも上下方向に短い係止孔６６が段部６５を貫通して形成されている。これらの凹み６２および係止孔６６の機能については後述する。
【００２４】
ここで、図６を合わせて参照して、前述のハウジング４の金具受容溝４６に取り付けられる保持金具２２、２２’およびその取付状態について説明する。図６は、図５において右側の取付部１２に取り付けられる保持金具２２を示し、図６（Ａ）は、保持金具２２の拡大平面図、図６（Ｂ）は拡大正面図、図６（Ｃ）は拡大左側面図を夫々示す。保持金具２２’は、保持金具２２と鏡像関係にあるため、主として保持金具２２について以下説明する。保持金具２２は、１枚の金属板から打抜き折り曲げ加工により形成され、概ね矩形の基部５０と、この基部５０の左右の両端から基部５０と直交方向に延びさらに上方に延出する側面視でＬ字状の舌片（放電舌片）５２と、基部５０から基部５０と同じ板面内で斜めに垂下する１対の保持脚１８、１８とを有する。
【００２５】
基部５０は、両端にバーブ即ち突起５１を有するとともに、下縁に切欠５３を有する。前述の保持脚１８は、この切欠５３から下方に延出している。ここで注目すべきことは、保持脚１８は、プラグコネクタ１０が基板上に取り付けられたときに、プラグコネクタ１０の傾斜方向と同じ方向に傾斜しており、その傾斜の程度は前述の取付部１２の傾斜より小さいという点である。この理由は、プラグコネクタ１０を基板５に取り付けたときに、コンタクト８、９のタイン８ａ、９ａに加わる負荷を小さくするためであるが、詳細については後述する。
【００２６】
また、各保持脚１８の先端部には、外側に膨出した係止部１８ａが形成されている。この係止部１８ａは、基板５に挿入されたときに基板５の孔（図示せず）と係合して抜け止めとなる。前述の舌片５２は、対向して上方に延び段部５４を経て、上部で互いの方に折れ曲がって水平部５８を形成し、さらに先端部５６が下方に折れ曲がって互いに当接している。
【００２７】
このように形成された保持金具２２を取付部１２に取り付けるには、金具受容溝４６に上方から保持脚１８、１８を下にして保持金具２２を押し込む。保持金具２２の基部５０と舌片５２の下部は、コ字状の金具受容溝４６に押し込まれ、前述の突起５１が金具受容溝４６内の内壁と干渉係合して固定される。そのとき、舌片５２は、前述の溝６０ａに着座して、舌片５２の表面とガイドポスト２６の側面６０、先端面６１とが略面一となる。ガイドポスト２６の先端面６１には図示しない穴が形成されており、この穴内に保持金具２２の、互いに当接した先端部５６が収容されて、互いに分離することが阻止される。
【００２８】
そして、前述の保持脚１８は、取付部１２の底面４８から下方に、傾斜した底面４８と略直交するように突出する（図３）。即ち、プラグコネクタ１０が基板５に取り付けられたときに、保持脚１８は基板５に対し直交するように配置される。なお、反対側の取付部１２に取り付けられる保持金具２２’は、保持金具２２と対向するように配置されているので、保持金具２２’の保持脚１８’の突出する方向は、前述の保持金具２２の場合と異なり逆向きある。保持金具２２’のその他の構成は保持金具２２と同じであるため、詳細な説明は省略する。
【００２９】
次に、シェル２８について、図７を参照してさらに詳細に説明する。図７は、ハウジング４に取り付けられるシェルを示し、図７（Ａ）は拡大正面図、図７（Ｂ）は拡大底面図、図７（Ｃ）は拡大右側面図を示す。図７に示すシェル２８は、図２において手前側に見えるシェル２８を表している。シェル２８は、１枚の金属板から打ち抜き、折り曲げにより形成され、長手方向３に沿って延びる基部６８と、この基部６８から長手方向３に沿って直角に折り曲げられ、さらに基部６８と平行に基部６８から離れる方向に延びる延長部７０とを有する。
【００３０】
基部６８は、前述のハウジング４の凹み６２に対応して上向きに形成された舌片７２と、これらの舌片７２の間に舌片７２と同じ向きに形成された突片７４を有する。舌片７２の両側縁には、突部７２ａが形成されている。突片７４には開口７５が形成され、この開口７５内にラッチアーム２９が下向き、且つ図７（Ａ）における紙面の手前側に突設されている。これらのラッチアーム２９は、前述の係止孔６６に対応する位置に形成されている。そして、延長部７０の外側部分７０ａの下縁７１から取付脚３０が下向きに突設されている。
【００３１】
このシェル２８を、ハウジング４に取り付けるには、図５に示すハウジング４の下方から、舌片７２と突片７４が、夫々凹み６２と係止孔６６に嵌入するように挿入すると、ラッチアーム２９は、ハウジング４の段部６５の上向面６４（図５）に係止され、延長部７０は段部６５の下面に当接する。これにより、シェル２８は、ハウジング４からの抜けが阻止されるとともに、延長部７０により、ハウジング４の空間３２が覆われる。従って、この空間３２に位置するコンタクト８のタイン８ａが、延長部７０により電磁的に遮蔽即ちシールドされる。
【００３２】
空間３２内に露出している複数のタイン８ａのうち必要なタイン８ａを覆うことにより十分なＥＭＩ（Ｅｌｅｃｔｒｏｍａｇｎｅｔｉｃ　Ｉｎｔｅｒｆｅｒｅｎｃｅ）対策の効果が得られるが、全てのタイン８ａを覆うようにしても勿論よい。なお、コンタクト９は電力供給用なので、そのタイン９ａは覆う必要がない。
【００３３】
なお、ハウジング４の反対側にも配置されているシェル２８’は、ハウジング４が基板に取り付けられたときに傾斜するため、それに対応してシェル２８’の形状も僅かに相違している。即ち、延長部７０のうち、外側部分７０ａの上下方向の寸法が図３に示されるように長くなっている。この理由は、反対側の空間３２は、ハウジング４の傾斜により基板からハウジング４が離れていることにより大きくなっているため、この大きくなった空間３２を覆う必要があるためである。その他の部分は、シェル２８と同じであるため、シェル２８’の詳細な説明は省略する。
【００３４】
次に、整列部材３４について、図８を参照してさらに詳細に説明する。図８は、整列部材３４を示し、図８（Ａ）は拡大平面図、図８（Ｂ）は拡大正面図、図８（Ｃ）は拡大右側面図、図８（Ｄ）は、図８（Ａ）の８Ｄ−８Ｄ断面に沿う拡大断面図を示す。整列部材３４は、図８（Ａ）に最もよく示すように、細長い四角形の板状の基体３５を有し、基体３５の両端隅部に前述のラッチアーム３６を有する。基体３５にはコンタクト８、９に夫々対応させて孔４２、４３が形成されている。また、前述の凸部４０、４１には、シェル２８の取付脚３０に対応して孔４０ａが形成されている。孔４０ａ、４２、４３には、取付脚３０、コンタクト８、９の挿入を容易にするためにガイドとなるテーパが各々形成されている。
【００３５】
そして、図８（Ｂ）、（Ｃ）、（Ｄ）および図４に示すように、整列部材３４の底面３７には、ラッチアーム３６近傍に突起即ちスタンドオフ４５、４７が突設されている。これらのスタンドオフ４５、４７は、プラグコネクタ１０が基板に取り付けられたときに、基板に当接するものであり、スタンドオフ４５は突出量が少なく、スタンドオフ４７は突出量が多い。整列部材３４をハウジング４に取り付けたときに、スタンドオフ４５は、図５に示すハウジング４の手前側に、スタンドオフ４７は反対側に夫々位置する。即ち、整列部材３４は、このスタンドオフ４５、４７により、ハウジング４と同じ方向に傾くようになっている。
【００３６】
また、スタンドオフ４５、４７に合わせて、凸部４０、４１の、底面３７から下方への突出量が相違している。即ち、スタンドオフ４５側の凸部４０の突出量は小さく、スタンドオフ４７側の凸部４１の突出量は大きくなっている。しかし、この凸部４０、４１の、夫々の突出した底面３７ａ、３７ｂは、直接基板には当接しないように設定されている。そして、図８（Ｂ）、（Ｄ）に最もよく示すように、各凸部４０、４１には、上方および外側に開放した開放凹部４９、５１が夫々形成されている。
【００３７】
次に、シェル２８および整列部材３４を組み込んだプラグコネクタ１０を基板５に実装した状態について図９を参照して説明する。図９は、図２のプラグコネクタ１０の９−９線に沿う拡大断面図である。プラグコネクタ１０が基板５に取り付けられると、取付部１２の傾斜した底面４８が、基板５に当接して、前述の如くハウジング４が傾いた状態で載置される。このとき、保持金具２２の保持脚１８は、基板５に直交するように基板５の図示しない孔に挿入され係止される。そして、前述の各コンタクト８、９も整列部材３４により整列されて、基板のスルーホール７に挿入される。そして前述のシェル２８の取付脚３０は、基板５の孔（シールド部材取付孔）１１に挿入され、はんだ付けされる。
【００３８】
図９から判るように、整列部材３４のスタンドオフ４５、４７が基板５に当接して、整列部材３４が傾斜しているが、この傾斜の度合は、ハウジング４の傾斜の度合よりも少ない。ハウジング４の傾斜により、スルーホール７に挿入されたコンタクト８、９のタイン８ａ、９ａが、ハウジング４が傾斜した方に曲げられる。その結果、タイン８ａ、９ａに無理な力が加わり基板裏面のはんだ接続部にクラックが生じたり、タイン８ａ、９ａと整列部材３４との間の摩擦抵抗によりハウジング４が基板５に対して所望の角度で傾斜しない不具合が発生する。しかし、前述の如く整列部材３４が、ハウジング４ほど傾斜していないことにより、タイン８ａ、９ａに負荷されるストレスが緩和されるので、前述のような不具合が生じにくく、また、プラグコネクタ１０を基板５に円滑に取り付けることができる。また、スタンドオフ４５は、必ずしもなくてもよいが、スタンドオフ４５を形成することにより正確に傾斜の度合を設定することができる。この整列部材３４の傾斜は、ハウジング４の傾斜の略１／２であることが好ましい。
【００３９】
整列部材３４の凸部４０、４１は、前述の開放凹部４９、５１があることにより、シェル２８の外側部分７０ａの下縁７１を凸部４０、４１と干渉することなく、ハウジング４の上下方向に長くすることができる。従って、コンタクト８のタイン８ａを上下方向に長い、一層広い範囲で電磁遮蔽することが可能となる。
【００４０】
次に、プラグコネクタ１０と嵌合する他方のリセプタクルコネクタ１００について、図１０から図１４を参照して説明する。図１０は、リセプタクルコネクタ１００の平面図、図１１は正面図、図１２は右側面図、図１３は底面図を示す。図１４は、このリセプタクルコネクタ１００のハウジング１０４の斜視図である。なお、図１４は、後述するＥＳＤワイヤ１５２を省略している。
【００４１】
リセプタクルコネクタ１００は、細長い直方体形状を呈している絶縁性のハウジング１０４と、このハウジング１０４の側壁１１５を覆うように構成されている金属製のシールドシェル（以下、単にシェルという）１２８と、ハウジング１０４内に保持された複数のコンタクト１０８、１０９を有する。コンタクト１０８、１０９は、プラグコネクタ１０のコンタクト８、９と夫々接続するものである。
【００４２】
図１０に示すように、ハウジング１０４は、上面に嵌合部１０６を有する。嵌合部１０６には、ハウジング１０４の長手方向１０３に沿って延びる嵌合凹部１０１が形成されている。この嵌合凹部１０１内には、プラグコネクタ１０の嵌合溝４４と嵌合する２列の嵌合リブ１４４が、長手方向１０３に沿ってハウジング１０４と一体に形成されている。コンタクト１０８、１０９は、各嵌合リブ１４４の両側に列状に配設されている。なお、嵌合部１０６のハウジング１０４の上端即ち前端によって構成される面を嵌合面１０６ａという。
【００４３】
ハウジング１０４の嵌合部１０６には、ハウジング１０４の長手方向１０３の両端部近傍に、前述の相手方プラグコネクタ１０のガイドポスト２６を受容するガイド穴１１８が形成されている。また、ハウジング１０４の側壁１１５には、略矩形の突起１３４、１３６が所定の間隔で長手方向１０３に沿って形成されている（図１４）。
【００４４】
コンタクト１０８、１０９は、夫々基板に接続されるタイン１０８ａ、１０９ａを有し、これらのタイン１０８ａ、１０９ａがハウジング１０４から下方に突出している。タイン１０８ａには、整列部材１１６が取り付けられて、タイン１０８ａの先端部を整列させた状態で保持している。図１０に最もよく示すように、シェル１２８は、ハウジング１０４の上面へ延び、さらに嵌合凹部１０１内に延びる複数の接片１２９を有している。接片１２９は、ハウジング１０４の側壁１１５の上縁に、接片１２９に対応して位置する切欠１１７（図１４）内に着座する。他方、シェル１２８の下縁１２７には、互いに離隔した複数の接地脚１０５が下方に延びるように一体に形成されている。これらの接地脚１０５は、リセプタクルコネクタ１００が取り付けられる基板（図示せず）に挿入されて、はんだ付されるようになっている。
【００４５】
シェル１２８には、前述の突起１３４、１３６に夫々対応する下向きの切欠１３５、１３７が形成されており（図１１）、シェル１２８をハウジング１０４に組み付けたときに互いに係合するようになっている。
【００４６】
次に、再び図１を合わせて参照して、リセプタクルコネクタ１００の静電気放電機能について説明する。前述の嵌合リブ１４４の先端には、長手方向３に沿って溝１５０が形成されており、この溝１５０内に静電気放電用のＥＳＤワイヤ（他の導電部材）１５２が配置されている。このＥＳＤワイヤ１５２について、図１５を参照して説明する。図１５は、ＥＳＤワイヤ１５２を示し、図１５（Ａ）は拡大平面図、図１５（Ｂ）は拡大正面図、図１５（Ｃ）は拡大側面図を夫々示す。このＥＳＤワイヤ１５２は１本の導電性金属線を折り曲げて形成したものであり、直線部１５４と、この直線部１５４の一端に位置する鉤状の係止端部１５６と、他端に位置する接続部１５８とを有する。
【００４７】
係止端部１５６は、直線部１５４から直角に折り曲げされ、先端にフック１５６ａを有する。また、他端側の接続部１５８は、係止端部１５６と同じ方向に折り曲げられた垂下部１５８ａ、この垂下部１５８ａから直角に、即ち図１５（Ｂ）において、紙面の手前に折り曲げられた水平部１５８ｂおよびそこからさらに直線部１５４と同じ方向に直角に折り曲げられた接触部１５８ｃとを有する。
【００４８】
このように構成されたＥＳＤワイヤ１５２は、嵌合リブ１４４の溝１５０に押し込まれてハウジング１０４に組み込まれる。係止端部１５６に対応する溝１５０の部分には、係止端部１５６を受容する図示しない穴が形成されており、係止端部１５６はこの穴に圧入されるとともに前述のフック１５６ａで抜け止めされる。そして他端側の接続部１５８は、嵌合リブ１４４の側面に形成された溝１５１（図１０）を通って嵌合凹部１０１内に配置される。そのとき、接触部１５８ｃの先端部は、ガイド穴１１８の近傍に位置し、他のＥＳＤコンタクト（導電部材）１４６と接触する。
【００４９】
次に、このＥＳＤコンタクト１４６とＥＳＤワイヤ１５２との接触状態について、図１６および図１７を参照して説明する。図１６は、リセプタクルコネクタ１００のガイド穴１１８近傍の拡大部分平面図である。図１７はガイド穴１１８近傍に配置されるＥＳＤコンタクト１４６を示し、図１７（Ａ）は拡大平面図、図１７（Ｂ）は拡大正面図、図１７（Ｃ）は拡大右側面図を示す。
【００５０】
図１６に示すように、ハウジング１０４には、ガイド穴１１８の近傍に、ハウジング１０４の端壁１１４に沿って、ハウジング１０４の底面に開放する溝１３８が形成されている。ＥＳＤコンタクト１４６は、図１７に最もよく示すように、略矩形の基部１４７と、この基部１４７の下部両端から基部１４７と直角に延び、さらに上方に直角に延びるＬ字状のアーム（放電舌片）１４８を有する。このアーム１４８は、水平アーム１４８ａ、垂直アーム１４８ｂから構成されている。基部１４７の下端中央からは下方に垂下する取付片（取付部）１４９が形成されている。この取付片１４９は、図示しない基板の孔に挿入されてはんだ付けされる。アーム１４８には水平方向に突出する接触片１５３が、アーム１４８と同じ面内で形成されている。
【００５１】
次に、ＥＳＤコンタクト１４６をハウジング１０４に組み込んだ状態について、図１８を合わせて参照して説明する。図１８は、図１０のリセプタクルコネクタの１８−１８線に沿う拡大断面図である。ＥＳＤコンタクト１４６が、垂直アーム１４８ｂを上にしてハウジング１０４の底面側から溝１３８に圧入されると、図１６に示すようにハウジング１０４のガイド穴１１８近傍に位置する。このとき、アーム１４８はガイド穴１１８の内面に配置されるので、アーム１４８はガイド穴１１８内に露出する。
【００５２】
そして、アーム１４８の水平方向に突出する接触片１５３の上面１５３ａ（図１７（Ａ）、（Ｂ））は、狭い間隙を挟んでハウジング１０４の下向面１１３（図１８）と上下方向に対向するように位置する。前述のＥＳＤワイヤ１５２の接触部１５８ｃの先端部は、この接触片１５３の上面１５３ａとハウジング１０４の下向面１１３との間に挟持される。換言すると、接触部１５８ｃの先端部、即ち図１６において、破線で示す接触片１５３とオーバーラップした部分は、接触片１５３の上面１５３ａによりハウジング１０４の下向面１１３（図１８）に押圧されて、ＥＳＤワイヤ１５２とＥＳＤコンタクト１４６との間に電気的接続がなされる。この電気的な接続によりプラグコネクタ１０とリセプタクルコネクタ１００との間に接地回路が構成される。
【００５３】
以上のように、構成されたプラグコネクタ１０とリセプタクルコネクタ１００が、互いに嵌合するとき、各コネクタ１０、１００のコンタクト８、９、１０８、１０９に接続された信号の電気経路が、どのように静電気から保護されるかについて以下説明する。まず最初に、リセプタクルコネクタ１００のＥＳＤワイヤ１５２の機能について説明する。図１０および図１６に示すように、リセプタクルコネクタ１００のコンタクト１０８は、嵌合凹部１０１内に配置されているので、外部から比較的容易にアクセスできる位置にある。
【００５４】
前述のＥＳＤワイヤ１５２はこれらのコンタクト１０８、１０９を保護するためにある、即ち、ＥＳＤワイヤ１５２は、これらのコンタクト１０８、１０９よりも、さらに、外方に位置している。従って、例えば、静電気が帯電した手若しくは指、または外部の物体を嵌合部１０６に接近させた場合、その静電気は、ＥＳＤワイヤ１５２との間で放電してコンタクト１０８、１０９の経路には影響を及ぼさない。ＥＳＤワイヤ１５２に流れた静電気は、ＥＳＤコンタクト１４６を介して基板の接地回路に流れる。
【００５５】
また、コネクタ１０，１００同士を嵌合させる場合の静電気からの保護について説明する。プラグコネクタ１０またはリセプタクルコネクタ１００、或いはそのいずれか一方が帯電していた場合、嵌合時に接近させると互いの間で放電が生じる。プラグコネクタ１０の保持金具２２およびリセプタクルコネクタ１００のＥＳＤコンタクト１４６は、このコネクタ同士の放電による悪影響を回避するためにある。
【００５６】
放電に使用される保持金具２２は、その水平部５８がガイドポスト２６の先端に位置している。即ち、嵌合方向において、プラグコネクタ１０の最も先端に位置している。そして、このガイドポスト２６が挿入される、リセプタクルコネクタ１００のガイド穴１１８にはＥＳＤコンタクト１４６が配置されている。従って、嵌合時に、コンタクト８、１０８および９、１０９間で放電が生じるより先に、これらの間で放電が生じるようになっている。即ちガイドポスト２６がガイド穴１１８に接近すると、帯電の程度に応じて、保持金具２２の水平部５８と、ＥＳＤコンタクト１４６の垂直アーム１４８ｂとの間で放電が生じる。
【００５７】
保持金具２２の水平部５８およびＥＳＤコンタクト１４６の垂直アーム１４８ｂは、ともにプレス面であり、平面的な広がりを有しているので、大きな放電面が確保でき広範囲の領域をカバーすることができる。また、コネクタ同士が位置ずれしたときにも、放電しやすい。また、コンタクト８と１０８および９と１０９の距離は、水平部５８と垂直アーム１４８ｂの先端との距離より大きく設定されている。ＥＳＤコンタクト１４６および保持金具２２はいずれも夫々の基板の接地回路（図示せず）に接続されているので、電気経路に影響を及ぼすことがない。
【００５８】
前述のシェル２８、１２８は、コネクタ１０、１００同士が嵌合すると、プラグコネクタ１０の舌片７２と、リセプタクルコネクタ１００の接片１２９とが互いに接触してグランド（接地回路）を形成する。この接地回路と、前述の放電用の接地回路は分離したものである。そうすることにより放電用の接地回路に流れた高電圧電流がシールド用の接地回路に流れて、接地回路にに悪影響を及ぼすことが防止される。
【００５９】
以上、本発明について詳細に説明したが、上記好適な実施形態に限定されるものではなく、種々の変形、変更が可能であることはいうまでもない。例えば、前述のＥＳＤコンタクト１４６を、図１９に示すような形状としてもよい。図１９は、他の実施形態のＥＳＤコンタクトを示し、図１９（Ａ）は、拡大平面図、図１９（Ｂ）は拡大正面図、図１９（Ｃ）は拡大側面図を示す。他の実施形態のＥＳＤコンタクト２４６は、図１９（Ｂ）に最もよく示すように、略矩形の基部２４７と、この基部２４７の下部両端から基部２４７と直角に延び、さらに上方に直角に延びるＬ字状のアーム２４８を有する。このアーム２４８は、ＥＳＤコンタクト１４６のアーム１４７と同じ形状であるので説明は省略する。ＥＳＤコンタクト１４６と異なる点は、取付片１４９の代わりに、基部２４７の下端中央から１対の弾性保持脚２５０が垂下されている点である。この保持脚２５０によって、リセプタクルコネクタを基板に仮保持することができる。
【図面の簡単な説明】
【図１】本発明のプラグコネクタ（電気コネクタ）の平面図
【図２】図１のプラグコネクタの正面図
【図３】図１のプラグコネクタの右側面図
【図４】図１のプラグコネクタの底面図
【図５】本発明のプラグコネクタに使用されるハウジングの斜視図
【図６】図５において右側の取付部に取り付けられる保持金具を示し、（Ａ）は拡大平面図、（Ｂ）は拡大正面図、（Ｃ）は拡大左側面図を示す。
【図７】本発明のプラグコネクタのハウジングに取り付けられるシェルを示し、（Ａ）は拡大正面図、（Ｂ）は拡大底面図、（Ｃ）は拡大右側面図を示す。
【図８】本発明のプラグコネクタの可動コンタクト整列部材を示し、（Ａ）は拡大平面図、（Ｂ）は拡大正面図、（Ｃ）は拡大右側面図、（Ｄ）は、図８（Ａ）の８Ｄ−８Ｄ断面に沿う拡大断面図を示す。
【図９】図２のプラグコネクタの９−９線に沿う拡大断面図
【図１０】プラグコネクタと嵌合するリセプタクルコネクタの平面図
【図１１】図１０のリセプタクルコネクタの正面図
【図１２】図１０のリセプタクルコネクタの右側面図
【図１３】図１０のリセプタクルコネクタの底面図
【図１４】図１０のリセプタクルコネクタのハウジングの斜視図
【図１５】図１０のリセプタクルコネクタに使用されるＥＳＤワイヤを示し、（Ａ）は拡大平面図、（Ｂ）は拡大正面図、（Ｃ）は拡大側面図である。
【図１６】図１０のリセプタクルコネクタのガイド穴近傍の拡大部分平面図である。
【図１７】ガイド穴近傍に配置されるＥＳＤコンタクトを示し、（Ａ）は拡大平面図、（Ｂ）は拡大正面図、（Ｃ）は拡大右側面図を夫々示す。
【図１８】図１０のリセプタクルコネクタの１８−１８線に沿う拡大断面図
【図１９】他の実施形態のＥＳＤコンタクトを示し、（Ａ）は、拡大平面図、（Ｂ）は拡大正面図、（Ｃ）は拡大側面図を示す。
【符号の説明】
４　　絶縁ハウジング
５　　基板
７　　スルーホール
８、９　　コンタクト
８ａ、９ａ　　タイン
１０　　プラグコネクタ（電気コネクタ）
３４　　可動コンタクト整列部材
４０ａ　　取付脚受容孔
４５、４７　　スタンドオフ
４８　　底面（基板取付面）
１００　　リセプタクルコネクタ
【図１】
2004063390.tif 000003
【図２】
2004063390.tif 000004
【図３】
2004063390.tif 000005
【図４】
2004063390.tif 000006
【図５】
2004063390.tif 000007
【図６】
2004063390.tif 000008
【図７】
2004063390.tif 000009
【図８】
2004063390.tif 000010
【図９】
2004063390.tif 000011
【図１０】
2004063390.tif 000012
【図１１】
2004063390.tif 000013
【図１２】
2004063390.tif 000014
【図１３】
2004063390.tif 000015
【図１４】
2004063390.tif 000016
【図１５】
2004063390.tif 000017
【図１６】
2004063390.tif 000018
【図１７】
2004063390.tif 000019
【図１８】
2004063390.tif 000020
【図１９】
2004063390.tif 000021